(57)【要約】      （修正有）【課題】地域住民や関係行政機関等に対して簡易な構成で、かつ、安価に希望する地区の放射線量データの伝達を行うことができる放射線量測定装置を提供する。【解決手段】本放射線量測定装置は、個々の地区の放射線量を定期的に測定し放射線量データとして出力する複数の放射線量測定手段２と、前記放射線量データと当該地区の位置情報とを関連付けた測定情報を定期的に出力する複数の読取処理手段１１と、各地区の複数のクライアントコンピュータ４１と、各地区の複数の住民が所持する複数の携帯電話５と、前記各測定情報を収集し、予め登録した前記各クライアントコンピュータ４１別のアドレス及び測定情報の取得を希望する地区の位置情報に対応する測定情報を個別に関連付け、かつ、予め登録した前記各携帯電話５別のアドレス及び測定情報の取得を希望する地区の位置情報に対応する測定情報を個別に関連付けて記憶手段に記憶する。【選択図】図１
0003172389.tif 000002
【実用新案登録請求の範囲】
【請求項１】
個々の地区に設置されその位置の放射線量を定期的に測定し放射線量データとして出力する複数の放射線量測定手段と、
各放射線量測定手段に各々接続され前記放射線量データと当該地区の位置情報とを関連付けた測定情報を定期的に出力する複数の読取処理手段と、
各地区に設置される複数のクライアントコンピュータと、
各地区の複数の住民が所持する複数の携帯電話と、
複数の読取処理手段からの各測定情報を収集し、予め登録した前記各クライアントコンピュータ別のアドレス及び測定情報の取得を希望する地区の位置情報に対応する測定情報を個別に関連付けるとともに、予め登録した前記各携帯電話別のアドレス及び測定情報の取得を希望する地区の位置情報に対応する測定情報を個別に関連付けて記憶手段に記憶し、記憶手段に記憶した各クライアントコンピュータ別、各携帯電話別の各測定情報を、各クライアントコンピュータ、各携帯電話に対して個別に、かつ、予め設定した定時に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等が前記クライアントコンピュータの画面にて希望する地区の放射線量データを定時的に視認確認して、当該地区の地域住民に対する放射能汚染防止対策用として利用することが可能で、また、各携帯電話の各所持者自身も、画面にて各々自己が希望する地区の放射線量データを定時的に視認確認して、放射能汚染防止対策用として利用することが可能で、しかも、利用する地区の狭域、広域を問わず安価な通信使用量にて簡易に希望する地区の放射線量データを取得することができるようにしたことを特徴とする放射線量測定装置。
【請求項２】
個々の地区に設置されその位置の放射線量を定期的に測定し放射線量データとして出力する複数の放射線量測定手段と、
各放射線量測定手段に各々接続され前記放射線量データとＧＰＳ情報に基づき生成した当該地区の位置情報とを関連付けた測定情報を定期的に出力する複数の読取処理手段と、
各地区に設置される複数のクライアントコンピュータと、
各地区の複数の住民が所持する複数の携帯電話と、
複数の読取処理手段からの各測定情報を収集し、予め登録した前記各クライアントコンピュータ別のアドレス及び測定情報の取得を希望する地区の位置情報に対応する測定情報を個別に関連付けるとともに、予め登録した前記各携帯電話別のアドレス及び測定情報の取得を希望する地区の位置情報に対応する測定情報を個別に関連付けて記憶手段に記憶して、記憶手段に記憶した各クライアントコンピュータ別、各携帯電話別の各測定情報に基づき各クライアントコンピュータ別、各携帯電話別の電子メール、携帯電話メールを作成し、これら各電子メール、携帯電話メールを、各クライアントコンピュータ、各携帯電話に対して個別に、かつ、予め設定した定時に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等が前記クライアントコンピュータの画面にて希望する地区の放射線量データを定時的に視認確認して、当該地区の地域住民に対する放射能汚染防止対策用として利用することが可能で、また、各携帯電話の各所持者自身も、画面にて各々自己が希望する地区の放射線量データを定時的に視認確認して、放射能汚染防止対策用として利用することが可能で、しかも、利用する地区の狭域、広域を問わず安価な通信使用量にて簡易に希望する地区の放射線量データを取得することができるようにしたことを特徴とする放射線量測定装置。
【請求項３】
個々の地区に設置されその位置の放射線量を定期的に測定し放射線量データとして出力する複数の放射線量測定手段と、
各放射線量測定手段に各々接続され前記放射線量データとＧＰＳ情報に基づき生成した当該地区の位置情報とを関連付けた測定情報を定期的に出力する複数の読取処理手段と、
各地区に設置される複数のクライアントコンピュータと、
各地区の複数の住民が所持する複数の携帯電話と、
動作プログラムと、前記測定情報と、各クライアントコンピュータのアドレス及びその位置情報とを基に各クライアントコンピュータ向けの電子メールを個別に作成し、前記測定情報と、各携帯電話のアドレス及びその位置情報とを基に各携帯電話向けの携帯メールを個別に作成するためのメール作成プログラムと、作成した個別の電子メール及び携帯メールを前記インターネット回線網を通じて各々対応するアドレスに定時送信するための定時送信プログラムと、を予め記憶したプログラムメモリと、制御部と、記憶手段と、を有し、複数の読取処理手段からの各測定情報を収集し、予め登録した前記各クライアントコンピュータ別のアドレス及び測定情報の取得を希望する地区の位置情報に対応する測定情報を個別に関連付けるとともに、予め登録した前記各携帯電話別のアドレス及び測定情報の取得を希望する地区の位置情報に対応する測定情報を個別に関連付けて記憶手段に記憶し、メール作成プログラムにより記憶手段に記憶した各クライアントコンピュータ別、各携帯電話別の各測定情報に基づき各クライアントコンピュータ別、各携帯電話別の電子メール、携帯電話メールを作成し、定時送信プログラムにより前記各電子メール、携帯電話メールを、各クライアントコンピュータ、各携帯電話に対して個別に、かつ、予め設定した定時に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等が前記クライアントコンピュータの画面にて希望する地区の放射線量データを定時的に視認確認して、当該地区の地域住民に対する放射能汚染防止対策用として利用することが可能で、また、各携帯電話の各所持者自身も、画面にて各々自己が希望する地区の放射線量データを定時的に視認確認して、放射能汚染防止対策用として利用することが可能で、しかも、利用する地区の狭域、広域を問わず安価な通信使用量にて簡易に希望する地区の放射線量データを取得することができるようにしたことを特徴とする放射線量測定装置。
【請求項４】
個々の地区に設置されその位置の放射線量を定期的に測定し放射線量データとして出力する複数の放射線量測定手段と、
各放射線量測定手段に各々接続され前記放射線量データと当該地区の位置情報とを関連付けた測定情報を定期的に出力する複数の読取処理手段と、
各地区に設置される複数のクライアントコンピュータと、
各地区の複数の住民が所持する複数の携帯電話と、
複数の読取処理手段からの各測定情報を収集して、予め登録した前記各クライアントコンピュータ別のアドレス及び測定情報の取得を希望する地区の位置情報に対応する測定情報を個別に関連付けて記憶手段の個別のフォルダ領域に記憶すると同時に、各クライアントコンピュータに対して対応する測定情報を瞬時に、かつ、個別に送信するとともに、予め登録した前記各携帯電話別のアドレス及び測定情報の取得を希望する地区の位置情報に対応する測定情報を個別に関連付けて記憶手段の個別のフォルダ領域に記憶すると同時に、各携帯電話に対して対応する測定情報を瞬時に、かつ、個別に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等がクライアントコンピュータの画面にて希望する地区の放射線量データを、放射線量測定手段による定期的な測定の都度速やかに取得し視認確認して、当該地区の地域住民に対する放射能汚染防止対策用として利用することが可能で、また、各携帯電話の各所持者自身も、画面にて各々自己が希望する地区の放射線量データを、放射線量測定手段による定期的な測定の都度速やかに取得し視認確認して、放射能汚染防止対策用として利用することが可能で、しかも、利用する地区の狭域、広域を問わず、安価な通信使用量にて簡易に希望する地区の放射線量データを定期的に取得することができるようにしたことを特徴とする放射線量測定装置。
【請求項５】
個々の地区に設置されその位置の放射線量を測定し放射線量データとして出力する複数の放射線量測定手段と、
各放射線量測定手段に各々接続され前記放射線量データとＧＰＳ情報に基づき生成した当該地区の位置情報とを関連付けた測定情報を出力する複数の読取処理手段と、
各地区に設置される複数のクライアントコンピュータと、
各地区の複数の住民が所持する複数の携帯電話と、
複数の読取処理手段からの各測定情報を収集し、予め登録した前記各クライアントコンピュータ別のアドレス及び測定情報の取得を希望する地区の位置情報に対応する測定情報を個別に関連付けて記憶手段の個別のフォルダ領域に記憶すると同時に、各クライアントコンピュータに対して個別のフォルダ領域に記憶した記憶に対応する測定情報を電子メールにより瞬時に、かつ、個別に送信するとともに、予め登録した前記各携帯電話別のアドレス及び測定情報の取得を希望する地区の位置情報に対応する測定情報を個別に関連付けて記憶手段の個別のフォルダ領域に記憶すると同時に、各携帯電話に対して個別のフォルダ領域に記憶した記憶に対応する測定情報を携帯電話メールにより瞬時に、かつ、個別に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等がクライアントコンピュータの画面にて希望する地区の放射線量データを、放射線量測定手段による定期的な測定の都度速やかに取得し視認確認して、当該地区の地域住民に対する放射能汚染防止対策用として利用することが可能で、また、各携帯電話の各所持者自身も、画面にて各々自己が希望する地区の放射線量データを、放射線量測定手段による定期的な測定の都度速やかに取得し視認確認して、放射能汚染防止対策用として利用することが可能で、しかも、利用する地区の狭域、広域を問わず、安価な通信使用量にて簡易に希望する地区の放射線量データを定期的に取得することができるようにしたことを特徴とする放射線量測定装置。
【請求項６】
個々の地区に設置されその位置の放射線量を測定し放射線量データとして出力する複数の放射線量測定手段と、
各放射線量測定手段に各々接続され前記放射線量データとＧＰＳ情報に基づき生成した当該地区の位置情報とを関連付けた測定情報を出力する複数の読取処理手段と、
各地区に設置される複数のクライアントコンピュータと、
各地区の複数の住民が所持する複数の携帯電話と、
制御部と、個別のフォルダ領域を有するフォルダを内蔵した記憶手段と、動作プログラムと、前記各測定情報を記憶手段に対応する個別のフォルダ領域に各クライアントコンピュータのアドレス及び測定情報の取得を希望する地区の位置情報に対応付けて記憶すると同時に、対応するアドレスの各クライアントコンピュータに対して個別のフォルダ領域に記憶した記憶に対応する測定情報を電子メールにより瞬時に、かつ、個別に送信処理するとともに、前記各測定情報を記憶手段に対応する個別のフォルダ領域に各携帯電話のアドレス及び測定情報の取得を希望する地区の位置情報に対応付けて記憶すると同時に、対応するアドレスの各携帯電話に対して個別のフォルダ領域に記憶した記憶に対応する測定情報を携帯メールにより瞬時に、かつ、個別に送信処理する瞬時記憶・送信プログラムとを格納したプログラムメモリと、を有し、瞬時記憶・送信プログラムにより、各クライアントコンピュータに対して個別のフォルダ領域に記憶した記憶に対応する測定情報を電子メールにより瞬時に、かつ、個別に送信するとともに、各携帯電話に対して個別のフォルダ領域に記憶した記憶に対応する測定情報を携帯電話メールにより瞬時に、かつ、個別に送信する管理サーバと、
前記複数の読取処理手段と前記管理サーバとの間の情報交信を個別に行う無線データ回線と、
前記管理サーバ、各クライアントコンピュータ間及び前記管理サーバ、各携帯電話間の情報交信を行うインターネット回線網と、
を有し、
行政機関の担当者等がクライアントコンピュータの画面にて希望する地区の放射線量データを、放射線量測定手段による定期的な測定の都度速やかに取得し視認確認して、当該地区の地域住民に対する放射能汚染防止対策用として利用することが可能で、また、各携帯電話の各所持者自身も、画面にて各々自己が希望する地区の放射線量データを、放射線量測定手段による定期的な測定の都度速やかに取得し視認確認して、放射能汚染防止対策用として利用することが可能で、しかも、利用する地区の狭域、広域を問わず、安価な通信使用量にて簡易に希望する地区の放射線量データを定期的に取得することができるようにしたことを特徴とする放射線量測定装置。
【考案の詳細な説明】
【技術分野】
【０００１】
本考案は、放射線量測定装置に関し、詳しくは、原子力関連施設等の周辺地区、遠方地区を問わず各地区の放射線量を測定し、かつ、その測定情報を簡易に、しかも、安価に取得し利用できる放射線量測定装置を提供するものである。
【背景技術】
【０００２】
近年における外国での原子力発電所の事故や、最近における日本国内での原子力発電所の事故に伴い、原子力発電所や原子力に関連する原子力関連施設等における放射能漏れに起因する地域住民の放射線被爆が危惧され、原子力関連施設等の周辺、遠方を問わず地域住民や関係行政機関等に対して簡易な構成で、かつ、安価に希望する地区の放射線量データの伝達を行うことができ、しかも、地域的な利用可能な範囲も広域にわたるようなシステムの構築が緊急の課題になっている。
【０００３】
特許文献１には、相互に無線通信のできる親機１と複数の子機２とから構成され、子機２は、放射線を感知しこれを測定信号データに変換するとともに当該測定信号データを含む電気的信号データを送受信でき、しかも親機１からの警報信号を受信することにより警報（危険／安全）の出力表示できるように構成した放射線測定警報システムが提案されている。
【０００４】
この特許文献１の放射線測定警報システムの場合、親機１と複数の子機２との間の交信を無線通信により行う構成であるため、その利用可能な地域的な範囲は比較的狭い範囲に限定されるものと推定される。
【先行技術文献】
【特許文献】
【０００５】
【特許文献１】特開２００１−２７２４６９号公報
【考案の概要】
【考案が解決しようとする課題】
【０００６】
本考案が解決しようとする問題点は、地域住民や関係行政機関等に対して簡易な構成で、かつ、安価に希望する地区の放射線量データの伝達を行うことができ、しかも、地域的な利用可能な範囲も広域にわたるような放射線量測定装置が存在しない点である。
【課題を解決するための手段】
【０００７】
本考案に係る放射線量測定装置は、個々の地区に設置されその位置の放射線量を定期的に測定し放射線量データとして出力する複数の放射線量測定手段と、各放射線量測定手段に各々接続され前記放射線量データと当該地区の位置情報とを関連付けた測定情報を定期的に出力する複数の読取処理手段と、各地区に設置される複数のクライアントコンピュータと、各地区の複数の住民が所持する複数の携帯電話と、複数の読取処理手段からの各測定情報を収集し、予め登録した前記各クライアントコンピュータ別のアドレス及び測定情報の取得を希望する地区の位置情報に対応する測定情報を個別に関連付けるとともに、予め登録した前記各携帯電話別のアドレス及び測定情報の取得を希望する地区の位置情報に対応する測定情報を個別に関連付けて記憶手段に記憶し、記憶手段に記憶した各クライアントコンピュータ別、各携帯電話別の各測定情報を、各クライアントコンピュータ、各携帯電話に対して個別に、かつ、予め設定した定時に送信する管理サーバと、前記複数の読取処理手段と前記管理サーバとの間の情報交信を個別に行う無線データ回線と、前記管理サーバ、各クライアントコンピュータ間、及び前記管理サーバ、各携帯電話間の情報交信を行うインターネット回線網と、を有することを最も主要な特徴とする。
【考案の効果】
【０００８】
請求項１乃至３記載の考案によれば、行政機関の担当者等はクライアントコンピュータの画面にて希望する地区の放射線量データを定時的に視認確認して、当該地区の地域住民に対する放射能汚染防止対策用として利用することが可能であり、各携帯電話の各所持者自身も、画面にて各々自己が希望する地区の放射線量データを定時的に視認確認して、放射能汚染防止対策用として利用することが可能であり、しかも、利用する地区の狭域、広域を問わず安価な通信使用量にて簡易に希望する地区の放射線量データを取得することができる放射線量測定装置を実現し、提供することができる。
【０００９】
請求項４乃至６記載の考案によれば、行政機関の担当者等はクライアントコンピュータの画面にて希望する地区の放射線量データを、放射線量測定手段による定期的な測定の都度速やかに取得し視認確認して、当該地区の地域住民に対する放射能汚染防止対策用として利用することが可能であり、各携帯電話の各所持者自身も、画面にて各々自己が希望する地区の放射線量データを、放射線量測定手段による定期的な測定の都度速やかに取得し視認確認して、放射能汚染防止対策用として利用することが可能であり、しかも、利用する地区の狭域、広域を問わず、安価な通信使用量にて簡易に希望する地区の放射線量データを定期的に取得することができる放射線量測定装置を実現し、提供することができる。
【図面の簡単な説明】
【００１０】
【図１】図１は本考案の実施例１の放射線量測定装置を示す概略全体構成図である。
【図２】図２は本実施例１の放射線量測定装置における読取処理手段の構成要素を示す概略図である。
【図３】図３は本実施例１の放射線量測定装置のブロック図である。
【図４】図４は本実施例１の放射線量測定装置の放射線量測定及び測定情報の処理の流れを示すフローチャートである。
【図５】図５は本考案の実施例２の放射線量測定装置を示す概略全体構成図である。
【図６】図６は本実施例２の放射線量測定装置のブロック図である。
【図７】図７は本実施例２の放射線量測定装置におけるクライアントコンピュータ用データベースのフォルダ構成を示す説明図である。
【図８】図８は本実施例２の放射線量測定装置における携帯電話用データベースのフォルダ構成を示す説明図である。
【図９】図９は本実施例１の放射線量測定装置の放射線量測定及び測定情報の処理の流れを示すフローチャートである。
【考案を実施するための形態】
【００１１】
本考案は、地域住民や関係行政機関等に対して簡易な構成で、かつ、安価に希望する地区の放射線量データの伝達を行うことができ、しかも、地域的な利用可能な範囲も広域にわたる放射線量測定装置を実現し提供するという目的を、個々の地区に設置されその位置の放射線量を定期的に測定し放射線量データとして出力する複数の放射線量測定手段と、各放射線量測定手段に各々接続され前記放射線量データとＧＰＳ情報に基づき生成した当該地区の位置情報とを関連付けた測定情報を定期的に出力する複数の読取処理手段と、各地区に設置される複数のクライアントコンピュータと、各地区の複数の住民が所持する複数の携帯電話と、複数の読取処理手段からの各測定情報を収集し、予め登録した前記各クライアントコンピュータ別のアドレス及び測定情報の取得を希望する地区の位置情報に対応する測定情報を個別に関連付けるとともに、予め登録した前記各携帯電話別のアドレス及び測定情報の取得を希望する地区の位置情報に対応する測定情報を個別に関連付けて記憶手段に記憶し、記憶手段に記憶した各クライアントコンピュータ別、各携帯電話別の各測定情報に基づき各クライアントコンピュータ別、各携帯電話別の電子メール、携帯電話メールを作成し、これら各電子メール、携帯電話メールを、各クライアントコンピュータ、各携帯電話に対して個別に、かつ、予め設定した定時に送信する管理サーバと、前記複数の読取処理手段と前記管理サーバとの間の情報交信を個別に行う無線データ回線と、前記管理サーバ、各クライアントコンピュータ間、及び前記管理サーバ、各携帯電話間の情報交信を行うインターネット回線網と、を有する構成により実現した。
【実施例】
【００１２】
以下、本考案の実施例に係る放射線量測定装置について図面を参照して詳細に説明する。
【００１３】
（実施例１）
本実施例１に係る放射線量測定装置１は、図１、図３に示すように、例えば原子力発電所や原子力に関連する原子力関連施設の周辺地区、及びこれらの施設の周辺地区以外の予め定めた各地区に設置され、当該位置の放射線量を定期的（例えば１日所定の時間間隔で３回等）に測定し放射線量データとして出力する複数台（図１には３台示す）の公知のガイガーカウンタのような放射線量測定手段２と、各放射線量測定手段２に各々接続配置した複数の読取処理手段１１と、本実施例１に係る放射線量測定装置全体の管理を実行する管理サーバ２１と、前記複数の読取処理手段１１と前記管理サーバ２１との間の情報交信を個別に行う無線データ回線３と、前記周辺地区、前記各地区の町役場、市役所等のような行政機関や各地区の公民館等に設置される複数（図１には２台示す）のクライアントコンピュータ４１と、前記周辺地区、前記各地区の任意数の住民が所持する多数（図１には５台示す）の携帯電話５と、前記管理サーバ２１、クライアントコンピュータ４１間、及び前記管理サーバ２１、各携帯電話５間の情報交信を行うインターネット回線網４と、を有している。
【００１４】
前記無線データ回線３は、詳細は図示しないが通信事業者が提供する公知のネットワークのホストとユーザとを結ぶ中継装置を含む公衆無線ＬＡＮ等により構成している。
【００１５】
なお、３台構成の放射線量測定手段２及び読取処理手段１１を設置した地区を、例えばＡ地区、Ｂ地区及びＣ地区とし、前記２台構成のクライアントコンピュータ４１は、例えばＡ地区、Ｂ地区に設置されているものとし、更に、５台の携帯電話５は各地区の住民ａ〜ｅが各々所持しているものとして以下の説明を行う。
【００１６】
前記読取処理手段１１は、図２に示すように、図示しない通信衛星からのＧＰＳ情報（Ｇｌｏｂａｌ  Ｐｏｓｉｔｉｏｎｉｎｇ  Ｓｙｓｔｅｍ情報：緯度、経度の情報）を受信するＧＰＳモジュール１２と、前記放射線量測定手段２からの当該地区の放射線量測定データを入力し、また、後述するフラッシュメモリー１５に記憶した測定情報を定期的に無線データ回線３に送出する通信モジュール１３と、前記ＧＰＳ情報を基に図示しないが予め記憶している緯度、経度と関連させた地図情報を参照し当該放射線量測定手段２及び読取処理手段１１が設置されている位置の位置情報を生成し、かつ、通信モジュール１３に入力された放射線量測定データと前記位置情報とを関連付けて測定情報とするワンボードマイコン１４と、ワンボードマイコン１４により求めた測定情報を記憶するフラッシュメモリー１５と、停電補償用のバッテリー１６と、を有している。前記通信モジュール１３は、前記無線データ回線３に対応する仕様としている。
【００１７】
また、前記読取処理手段１１に対しては、図示していないがＡＣ１００Ｖ電源により電力供給を行うように構成している。なお、太陽電池を電力供給源として採用することも可能である。
【００１８】
次に、図３を参照して、前記管理サーバ２１について詳述する。
【００１９】
前記管理サーバ２１は、本実施例１に係る放射線量測定装置１全体の制御を行う制御部２２と、各読取処理手段１１から無線データ回線３を経て定期的に送信されてくる各測定情報を受信する受信部２３と、受信部２３にて受信した各読取処理手段１１からの測定情報を記憶する記憶手段２９と、各クライアントコンピュータ４１のアドレス（電子メールアドレス）及びその所在地の位置情報を記憶したクライアントアドレス記憶部２４と、各携帯電話５のアドレス（携帯メールアドレス）及びその所在地の位置情報を記憶した携帯電話ユーザアドレス記憶部２５と、本実施例１に係る放射線量測定装置１の動作プログラムと、前記測定情報と、各クライアントコンピュータ４１のアドレス及びその位置情報とを基に各クライアントコンピュータ４１向けの電子メールを個別に作成し、また、前記測定情報と、各携帯電話５のアドレス及びその位置情報とを基に各携帯電話５向けの携帯メールを個別に作成するためのメール作成プログラムと、作成した個別の電子メール及び携帯メールを前記インターネット回線網４を通じて各々対応するアドレスに定時送信（例えば予め設定した１日３回：９時、１２時、１８時等）するための定時送信プログラムと、を予め記憶したプログラムメモリ２６と、メール作成プログラムにより作成した個別の電子メール及び個別の携帯メールを一時的に記憶するメール情報記憶部２７と、前記定時送信プログラムに基づき、各クライアントコンピュータ４１向けの電子メール、各携帯電話５向けの携帯メールを前記インターネット回線網４に出力する送信部２８と、キーボード３０と、表示部３１と、を有している。
【００２０】
次に、本実施例１に係る放射線量測定装置１の動作について、図４をも参照して説明する。
【００２１】
本実施例１に係る放射線量測定装置１において、Ａ地区、Ｂ地区及びＣ地区に配置された各放射線量測定手段２は、その位置の放射線量を定期的に測定し放射線量データとして対応する読取処理手段１１に出力する。
【００２２】
各放射線量測定手段２に各々接続された各読取処理手段１１は、それぞれ前記放射線量データとＧＰＳ情報に基づき生成した当該地区の位置情報とを関連付けた測定情報を定期的に無線データ回線３を通じて前記管理サーバ２１に無線送信する。
【００２３】
前記管理サーバ２１は、動作プログラムに基づき各読取処理手段１１から無線データ回線３を通じて定期的に送信されてくる各測定情報を収集し、予め登録した前記各クライアントコンピュータ４１別のアドレス及び測定情報の取得を希望する地区の位置情報に対応する測定情報を個別に関連付けるとともに、予め登録した前記各携帯電話５別のアドレス及び測定情報の取得を希望する地区の位置情報に対応する測定情報を個別に関連付けて記憶手段２９に記憶する。
【００２４】
そして、メール作成プログラムにより、前記測定情報と、各クライアントコンピュータ４１別のアドレス及び測定情報の取得を希望する地区の位置情報とを基に各クライアントコンピュータ４１向けの電子メールを個別に作成する。
【００２５】
また、メール作成プログラムにより、前記測定情報と、各携帯電話５のアドレス及びその位置情報とを基に各携帯電話５向けの携帯メールを個別に作成する。
【００２６】
次に、前記管理サーバ２１は、定時送信プログラムにより、作成した個別の電子メール及び携帯メールを、前記インターネット回線網４を通じて各クライアントコンピュータ４１、各携帯電話５にインターネット回線網４を通じて定時送信（例えば予め設定した１日３回：９時、１２時、１８時等）する。
【００２７】
これにより、例えば町役場、市役所等のような行政機関や各地区の公民館等に設置される各クライアントコンピュータ４１には、希望する地区（例えばＡ地区に設置されているクライアントコンピュータ４１にはＡ地区の放射線量データを含む測定情報が送信されることになり、市役所等の担当者は当該クライアントコンピュータ４１の画面にて希望するＡ地区の放射線量データを一日３回定時的に視認確認して、当該地区の地域住民に対する放射能汚染防止対策用として利用することが可能となる。
【００２８】
また、住民が所持する各携帯電話５にも、例えば希望する地区をＡ地区とした携帯電話５の所持者にはＡ地区の放射線量データを含む測定情報が送信され、希望する地区をＢ地区とした携帯電話５の所持者にはＢ地区の放射線量データを含む測定情報が送信されることになり、各携帯電話５の画面にて各々自己が希望する地区（Ａ地区、Ｂ地区等）の放射線量データを一日３回定時的に視認確認して、各所持者自身の放射能汚染防止対策用として利用することが可能となる。
【００２９】
更に、本実施例１によれば、無線データ回線３、インターネット回線網４を利用するものであることから、安価な通信使用量にて上述した希望する地区の放射線量データに関する測定情報を簡略に取得することができ、かつ、インターネット回線網４の利用により利用する地区が広域にわたる場合においても有効に構築可能な放射線量測定装置１を実現することができる。
【００３０】
なお、上述した放射線量測定手段２による測定回数、管理サーバ２１による定時送信の回数は、上述した例に限定されるものではなく各々任意回数（１回、２回、５回、１０回等）とすることが可能である。
【００３１】
（実施例２）
次に、本考案の実施例２に係る放射線量測定装置１Ａについて図５乃至図９を参照して説明する。
【００３２】
本実施例２に係る放射線量測定装置１Ａは、基本的構成は実施例１に係る放射線量測定装置１の場合と略同様であるため、実施例１の場合と同一の要素には同一の符号を付して示す。
【００３３】
本実施例２に係る放射線量測定装置１Ａは、図５、図６に示すように、実施例１の管理サーバ２１に替えて瞬時転送型の管理サーバ２１Ａを採用したことが特徴である。
【００３４】
本実施例２に係る放射線量測定装置１Ａは、実施例１の場合と同様、例えば原子力発電所や原子力に関連する原子力関連施設の周辺地区、及びこれらの施設の周辺地区以外の予め定めた各地区に設置され、当該位置の放射線量を定期的（例えば１日所定の時間間隔で３回等）に測定し放射線量データとして定期的に出力する複数台（図１には３台示す）の公知のガイガーカウンタのような放射線量測定手段２と、各放射線量測定手段２に各々接続配置した複数の読取処理手段１１と、本実施例２に係る放射線量測定装置全体の管理を実行する管理サーバ２１Ａと、前記複数の読取処理手段１１と前記管理サーバ２１Ａとの間の情報交信を個別に行う無線データ回線３と、前記周辺地区、前記各地区の町役場、市役所等のような行政機関や各地区の公民館等に設置される複数（図５には２台示す）のクライアントコンピュータ４１と、前記周辺地区、前記各地区の任意数の住民が所持する多数（図５には５台示す）の携帯電話５と、前記管理サーバ２１Ａ、クライアントコンピュータ４１間、及び前記管理サーバ２１、各携帯電話５間の情報交信を行うインターネット回線網４と、を有している。
【００３５】
なお、実施例１の場合と同様、３台構成の放射線量測定手段２及び読取処理手段１１を設置した地区を、例えばＡ地区、Ｂ地区及びＣ地区とし、前記２台構成のクライアントコンピュータ４１は、例えばＡ地区、Ｂ地区に設置されているものとし、更に、５台の携帯電話５は各地区の住民ａ〜ｅが各々所持しているものとして以下の説明を行う。
【００３６】
前記管理サーバ２１Ａは、本実施例２に係る放射線量測定装置１Ａ全体の制御を行う制御部２２と、各読取処理手段１１から無線データ回線３を経て定期的に送信されてくる各測定情報を受信する受信部２３と、個別に指定可能な大量のフォルダ領域を有するフォルダを内蔵するとともに、各クライアントコンピュータ別のアドレス及び測定情報の取得を希望する地区の位置情報を個別のフォルダ領域に登録し、対応する地区の測定情報を当該個別のフォルダ領域に書き込み可能に構成した記憶手段であるクライアントコンピュータ用データベース３２と、個別に指定可能な大量のフォルダ領域を有するフォルダを内蔵するとともに、各携帯電話５別のアドレス及び測定情報の取得を希望する地区の位置情報を個別のフォルダ領域に登録し、対応する地区の測定情報を当該個別のフォルダ領域に書き込み可能に構成した記憶手段である携帯電話用データベース３３と、本実施例２に係る放射線量測定装置１Ａの動作プログラムと、前記各測定情報をクライアントコンピュータ用データベース３２の対応する個別のフォルダ領域に記憶する（書き込む）と同時に、対応するアドレスの各クライアントコンピュータに対して個別のフォルダ領域に記憶した記憶に対応する測定情報を電子メールにより瞬時に、かつ、個別に送信処理するとともに、前記各測定情報を携帯電話用データベース３３の対応する個別のフォルダ領域に記憶する（書き込む）と同時に、対応するアドレスの各携帯電話に対して個別のフォルダ領域に記憶した記憶に対応する測定情報を携帯メールにより瞬時に、かつ、個別に送信処理する瞬時記憶・送信プログラムとを格納したプログラムメモリ３４と、各クライアントコンピュータ４１向けの電子メール、各携帯電話５向けの携帯メールの各情報を記憶する送信情報データベース３５と、各クライアントコンピュータ４１向けの電子メール、各携帯電話５向けの携帯メールを前記インターネット回線網４に出力する送信部２８と、を有している。
【００３７】
前記クライアントコンピュータ用データベース３２のフォルダの個別のフォルダ領域の構成例を図７に、前記携帯電話用データベース３３のフォルダの個別のフォルダ領域の構成例（住民ａ〜ｅが各々所持している５台の携帯電話５に関する構成例）を図８に各々示す。
【００３８】
次に、本実施例２に係る放射線量測定装置１Ａの動作について、図９をも参照して説明する。
【００３９】
本実施例２に係る放射線量測定装置１Ａにおいて、Ａ地区、Ｂ地区及びＣ地区に配置された各放射線量測定手段２は、その位置の放射線量を定期的に測定し放射線量データとして対応する読取処理手段１１に出力する。
【００４０】
各放射線量測定手段２に各々接続された各読取処理手段１１は、それぞれ前記放射線量データとＧＰＳ情報に基づき生成した当該地区の位置情報とを関連付けた測定情報を定期的に無線データ回線３を通じて前記管理サーバ２１Ａに無線送信する。
【００４１】
前記管理サーバ２１Ａは、動作プログラムに基づき各読取処理手段１１から無線データ回線３を通じて定期的に送信されてくる各測定情報を、前記放射線量測定手段２が放射線量を測定し、前記読取処理手段１１からの測定情報が送信されてくる都度収集し、次いで前記瞬時記憶・送信プログラムにより、前記各測定情報をクライアントコンピュータ用データベース３２の対応する個別のフォルダ領域に記憶すると同時に、対応するアドレスの各クライアントコンピュータ４１に対して、個別のフォルダ領域に記憶した記憶に対応する測定情報を電子メールにより前記送信部２８、インターネット回線網４を通じて瞬時に、かつ、個別に送信処理する。
【００４２】
また、前記瞬時記憶・送信プログラムにより、前記各測定情報を携帯電話用データベース３３の対応する個別のフォルダ領域に記憶すると同時に、対応する各アドレスの各携帯電話５に対して、個別のフォルダ領域に記憶した記憶に対応する測定情報を前記送信部２８、インターネット回線網４を通じて携帯メールにより瞬時に、かつ、個別に送信処理する。
【００４３】
各クライアントコンピュータ４１向けの電子メール、各携帯電話５向けの携帯メールの各情報は、前記管理サーバ２１Ａの送信情報データベース３５に記憶保持されていく。
【００４４】
これにより、例えば町役場、市役所等のような行政機関や各地区の公民館等に設置される各クライアントコンピュータ４１には、前記放射線量測定手段２が放射線量を測定し、前記読取処理手段１１からの測定情報が管理サーバ２１Ａに送信されてくる都度、直ちに希望する地区（例えばＡ地区に設置されているクライアントコンピュータ４１にはＡ地区の放射線量データを含む測定情報が送信されることになり、市役所等の担当者は、当該クライアントコンピュータ４１の画面にて希望するＡ地区の放射線量データを定期的に視認確認して、当該地区の地域住民に対する放射能汚染防止対策用として利用することが可能となる。
【００４５】
また、住民が所持する各携帯電話５にも、前記放射線量測定手段２が放射線量を測定し、前記読取処理手段１１からの測定情報が管理サーバ２１Ａに送信されてくる都度、直ちに例えば希望する地区をＡ地区とした携帯電話５の所持者にはＡ地区の放射線量データを含む測定情報が送信され、希望する地区をＢ地区とした携帯電話５の所持者にはＢ地区の放射線量データを含む測定情報が送信されることになり、各所持者は、自己の携帯電話５の画面にて各々自己が希望する地区（Ａ地区、Ｂ地区等）の放射線量データを定期的に視認確認して、各所持者自身の放射能汚染防止対策用として利用することが可能となる。
【００４６】
更に、本実施例２に係る放射線量測定装置１Ａによれば、無線データ回線３、インターネット回線網４を利用するものであることから、安価な通信使用量にて上述した希望する地区の放射線量データに関する測定情報を簡略に取得することができ、かつ、インターネット回線網４の利用により利用する地区が広域にわたる場合においても有効に構築可能な放射線量測定装置１Ａを実現することができる。
【００４７】
なお、上述した放射線量測定手段２による放射線量データの定期的な測定は、例えば、１時間毎、６時間毎、１日１回、２日に１回等、任意に設定することが可能であることはもちろんである。
【産業上の利用可能性】
【００４８】
本考案の放射線量測定装置は、原子力発電所や、原子力関連施設等の周辺地区はもとより、当該地区から遠く離れた地区でも、行政機関や地域住民の簡易、かつ、安価な放射線量データの取得システムとして広範に適用可能である。
【符号の説明】
【００４９】
１    放射線量測定装置
１Ａ  放射線量測定装置
２    放射線量測定手段
３    無線データ回線
４    インターネット回線網
５    携帯電話
１１    読取処理手段
１２    ＧＰＳモジュール
１３    通信モジュール
１４    ワンボードマイコン
１５    フラッシュメモリー
１６    バッテリー
２１    管理サーバ
２１Ａ  管理サーバ
２２    制御部
２３    受信部
２４    クライアントアドレス記憶部
２５    携帯電話ユーザアドレス記憶部
２６    プログラムメモリ
２７    メール情報記憶部
２８    送信部
２９    記憶手段
３０    キーボード
３１    表示部
３２    クライアントコンピュータ用データベース
３３    携帯電話用データベース
３４    プログラムメモリ
３５    送信情報データベース
４１    クライアントコンピュータ
【図１】
0003172389.tif 000003
【図２】
0003172389.tif 000004
【図３】
0003172389.tif 000005
【図４】
0003172389.tif 000006
【図５】
0003172389.tif 000007
【図６】
0003172389.tif 000008
【図７】
0003172389.tif 000009
【図８】
0003172389.tif 000010
【図９】
0003172389.tif 000011